(57)【特許請求の範囲】
【請求項１】
要約の作成対象となる要約対象文書を取得する対象文書取得手段と、
所定の文書データベースからユーザーの嗜好を反映した嗜好文書を取得する嗜好文書取得手段と、
前記取得した要約対象文書と嗜好文書とを結合した結合文書を取得する文書結合手段と、
前記取得した結合文書から、重要語句の候補を抽出する候補語抽出手段と、
前記抽出された重要語句の候補に対する重要度を、前記結合文書における該重要語句の候補の出現頻度に基づいて取得する候補語重要度取得手段と、
前記取得した重要度に基づいて、前記重要語句の候補から重要語句を抽出する重要語句抽出手段と、
前記重要語句抽出手段により取得された重要語句を用いて前記要約対象文書から重要文を選択する重要文選択手段と、
前記重要文選択手段により選択された重要文により前記文書の要約を作成する嗜好要約作成手段と
を具備することを特徴とする文書処理装置。
【請求項２】
要約対象文書全体に対する要約の比率を取得する要約比率取得手段を備え、
前記重要文選択手段は、前記要約比率取得手段で取得した前記比率に従って重要文を選択する
ことを特徴とする請求項１に記載の文書処理装置。
【請求項３】
要約の作成対象となる要約対象文書を取得する対象文書取得機能と、
所定の文書データベースからユーザーの嗜好を反映した嗜好文書を取得する嗜好文書取得機能と、
前記取得した要約対象文書と嗜好文書とを結合した結合文書を取得する文書結合機能と、
前記取得した結合文書から、重要語句の候補を抽出する候補語抽出機能と、
前記抽出された重要語句の候補に対する重要度を、前記結合文書における該重要語句の候補の出現頻度に基づいて取得する候補語重要度取得機能と、
前記取得した重要度に基づいて、前記重要語句の候補から重要語句を抽出する重要語句抽出機能と、
前記重要語句抽出機能により抽出された重要語句を用いて前記要約対象文書から重要文を選択する重要文選択機能と、
前記重要文選択機能により選択された重要文により前記要約対象文書の要約を作成する嗜好要約作成機能と、
をコンピュータに実現させるためのコンピュータ読みとり可能な文書処理プログラムが記憶された記憶媒体。
【請求項４】
要約対象文書全体に対する要約の比率を取得する要約比率取得機能を備え、
前記重要文選択機能は、前記要約比率取得機能で取得した前記比率に従って重要文を選択する
ことを特徴とする請求項３に記載の文書処理プログラムが記憶された記憶媒体。
【請求項５】
対象文書取得手段、嗜好文書取得手段、文書結合手段、候補語抽出手段、候補語重要度取得手段、重要語句抽出手段、重要文選択手段、嗜好要約作成手段を有する文書処理装置において、要約を作成する際に用いられる文書処理方法であって、
前記対象文書取得手段が、要約の作成対象となる要約対象文書を取得する第１ステップと、
前記嗜好文書取得手段が、所定の文書データベースからユーザーの嗜好を反映した嗜好文書を取得する第２ステップと、
前記文書結合手段が、前記取得した要約対象文書と嗜好文書とを結合した結合文書を取得する第３ステップと、
前記候補語抽出手段が、前記取得した結合文書から、重要語句の候補を抽出する第４ステップと、
前記候補語重要度取得手段が、前記抽出された重要語句の候補に対する重要度を、前記結合文書における該重要語句の候補の出現頻度に基づいて取得する第５ステップと、
前記重要語句抽出手段が、前記取得した重要度に基づいて、前記重要語句の候補から重要語句を抽出する第６ステップと、
前記重要文選択手段が、前記第６ステップにより取得された重要語句を用いて前記要約対象文書から重要文を選択する第７ステップと、
前記嗜好要約作成手段が、前記第７ステップにより選択された重要文により前記文書の要約を作成する第８ステップと、
を有することを特徴とする文書処理方法。
【発明の詳細な説明】
【０００１】
【発明の属する技術分野】
本発明は、文書処理装置、文書処理プログラムが記憶された記憶媒体、及び文書処理方法に関し、更に詳細には、利用目的等のユーザーの嗜好を踏まえた要約の作成に関する。
【０００２】
【従来の技術】
従来、書籍、論文、報告書等の各種の文書に対し、要約（抄録を含む）の自動作成処理をコンピュータを用いて行うことが行われている。
文書の自動要約については、例えば、「全文情報からの意味的情報の抽出と加工」（情報処理学会第３８回全国大会予稿集、第２２２頁；１９８９年）で提案されている。この方法では、まず文書中の重要語句を字種や動詞等の情報から抽出し、さらに重要語句の出現頻度から最重要語句を取得する。次に重要語句と最重要語句が出現するか否かから重要文を取得することで、自動的に要約を作成することが可能になる。また、文章の段落の性質を反映させることで、より正確に要約を作成する特開平３−１９１４７５号公報に記載された方法等も提案されている。
【０００３】
【発明が解決しようとする課題】
しかし、同一の文書でも、例えば営業用や技術資料用等の利用目的その他のユーザーの嗜好が異なると、文書における重要部位等に差異が生じる。そして、上述のような従来の文書処理によって要約を作成しても、ユーザーの嗜好を踏まえた要約を得ることはできない問題点がある。
【０００４】
本発明は、上述のような課題を解決するためになされたもので、利用目的等のユーザーの嗜好を踏まえた要約自動作成結合文書処理を行うことのできる文書処理装置、文書処理プログラムを記憶した記憶媒体、及び文書処理方法を提供することを目的とする。
【０００５】
【課題を解決するための手段】
請求項１に記載の発明は、要約の作成対象となる要約対象文書を取得する対象文書取得手段と、所定の文書データベースからユーザーの嗜好を反映した嗜好文書を取得する嗜好文書取得手段と、前記取得した要約対象文書と嗜好文書とを結合した結合文書を取得する文書結合手段と、前記取得した結合文書から、重要語句の候補を抽出する候補語抽出手段と、前記抽出された重要語句の候補に対する重要度を、前記結合文書における該重要語句の候補の出現頻度に基づいて取得する候補語重要度取得手段と、前記取得した重要度に基づいて、前記重要語句の候補から重要語句を抽出する重要語句抽出手段と、前記重要語句抽出手段により取得された重要語句を用いて前記要約対象文書から重要文を選択する重要文選択手段と、前記重要文選択手段により選択された重要文により前記文書の要約を作成する嗜好要約作成手段とを具備する文書処理装置を提供することにより、前記目的を達成する。
請求項２に記載の発明は、請求項１に記載の文書処理装置において、要約対象文書全体に対する要約の比率を取得する要約比率取得手段を備え、前記重要文選択手段は、前記要約比率取得手段で取得した前記比率に従って重要文を選択する文書処理装置を提供することにより前記目的を達成する。
請求項３に記載の発明は、要約の作成対象となる要約対象文書を取得する対象文書取得機能と、所定の文書データベースからユーザーの嗜好を反映した嗜好文書を取得する嗜好文書取得機能と、前記取得した要約対象文書と嗜好文書とを結合した結合文書を取得する文書結合機能と、前記取得した結合文書から、重要語句の候補を抽出する候補語抽出機能と、前記抽出された重要語句の候補に対する重要度を、前記結合文書における該重要語句の候補の出現頻度に基づいて取得する候補語重要度取得機能と、前記取得した重要度に基づいて、前記重要語句の候補から重要語句を抽出する重要語句抽出機能と、前記重要語句抽出機能により抽出された重要語句を用いて前記要約対象文書から重要文を選択する重要文選択機能と、前記重要文選択機能により選択された重要文により前記要約対象文書の要約を作成する嗜好要約作成機能と、をコンピュータに実現させるためのコンピュータ読みとり可能な文書処理プログラムが記憶された記憶媒体を提供することにより、前記目的を達成する。
請求項４に記載の発明は、請求項３に記載の記憶媒体において、要約対象文書全体に対する要約の比率を取得する要約比率取得機能を備え、前記重要文選択機能は、前記要約比率取得機能で取得した前記比率に従って重要文を選択する文書処理プログラムが記憶された記憶媒体を提供することにより前記目的を達成する。
請求項５に記載の発明は、対象文書取得手段、嗜好文書取得手段、文書結合手段、候補語抽出手段、候補語重要度取得手段、重要語句抽出手段、重要文選択手段、嗜好要約作成手段を有する文書処理装置において、要約を作成する際に用いられる文書処理方法であって、前記対象文書取得手段が、要約の作成対象となる要約対象文書を取得する第１ステップと、前記嗜好文書取得手段が、所定の文書データベースからユーザーの嗜好を反映した嗜好文書を取得する第２ステップと、前記文書結合手段が、前記取得した要約対象文書と嗜好文書とを結合した結合文書を取得する第３ステップと、前記候補語抽出手段が、前記取得した結合文書から、重要語句の候補を抽出する第４ステップと、前記候補語重要度取得手段が、前記抽出された重要語句の候補に対する重要度を、前記結合文書における該重要語句の候補の出現頻度に基づいて取得する第５ステップと、前記重要語句抽出手段が、前記取得した重要度に基づいて、前記重要語句の候補から重要語句を抽出する第６ステップと、前記重要文選択手段が、前記第６ステップにより取得された重要語句を用いて前記要約対象文書から重要文を選択する第７ステップと、前記嗜好要約作成手段が、前記第７ステップにより選択された重要文により前記文書の要約を作成する第８ステップと、を有する文書処理方法を提供することにより前記目的を達成する。
【０００６】
【発明の実施の形態】
以下、本発明の文書処理装置、文書処理プログラムを記憶した記憶媒体、及び文書処理方法の好適な実施の形態について、図１から図３を参照して詳細に説明する。
（１）実施形態の概要
本実施形態では、要約対象文書に、ユーザーの嗜好を反映した文書を結合し、得られた結合文書全体から形態素解析等により重要語の候補語を抽出する。そして、結合文書中における出現頻度等から、候補語ｘの語句重要度ｆ（ｘ）を取得し、語句重要度の高い候補語を重要語とする。得られた重要語ａ，ｂ，…とその語句重要度ｆ（ａ），ｆ（ｂ），…は要約対象文書のみから重要語や語句重要度を取得する場合よりも、ユーザーの嗜好の反映されたものとなる。そしてこの重要語ａ，ｂ，…及び語句重要度ｆ（ａ），ｆ（ｂ），…に基づいて、要約対象文書の各文の文重要度Ｆ（Ｘ）を取得し、文重要度Ｆ（Ｘ）の高い文をリストアップし、要約対象文書中の出現順に並べて、要約とする。
【０００７】
（２）実施形態の詳細
図１は、本発明の文書処理装置の一実施形態であり、本発明の文書処理プログラムを記憶した記憶媒体の一実施形態の該プログラムが読み取られたコンピュータの構成を表したブロック図である。
この図１に示すように、文書処理装置（コンピュータ）は、装置全体を制御するための制御部１１を備えている。この制御部１１には、データバス等のバスライン２１を介して、入力装置としてのキーボード１２やマウス１３、表示装置１４、印刷装置１５、記憶装置１６、記憶媒体駆動装置１７、通信制御装置１８、および、入出力Ｉ／Ｆ１９、および、文字認識装置２０が接続されている。
制御部１１は、ＣＰＵ１１１、ＲＯＭ１１２、ＲＡＭ１１３を備えている。
ＲＯＭ１１２は、ＣＰＵ１１１が各種制御や演算を行うための各種プログラムやデータが予め格納されたリードオンリーメモリである。
【０００８】
ＲＡＭ１１３は、ＣＰＵ１１１にワーキングメモリとして使用されるランダムアクセスメモリである。このＲＡＭ１１３には、本実施形態による要約作成処理を行うためのエリアとして、対象文書格納エリア１１３１、要約パラメータ格納エリア１１３２、重要語・重要度格納エリア１１３３、結合文書格納エリア１１３４、要約格納エリア１１３５、その他の各種エリアが確保されるようになっている。
【０００９】
対象文書格納エリア１１３１には、要約作成の対象となる文書（要約対象文書）が格納される。またこの対象文書格納エリア１１３１には、本実施形態により取得された文重要度Ｆ（Ｘ）が、要約対象文書の各文に対応させて格納される。
要約パラメータ格納エリア１１３２には、操作者からの入力等により取得された要約パラメータの値または後述のデータ格納部１６３から読み込んだ要約パラメータのデフォルト値が格納される。操作者が入力する要約パラメータとしては、例えば、全文書に対する要約の比率（１〜９９）、数量優先のある／なし、長単文の優先のある／なし、です／ます／であるの選択をする／しない、等の値が格納される。
重要語・重要度格納エリア１１３３には、それぞれ、本実施形態により取得された重要語（句も含む）及びそれらの語句重要度が、互いに対応付けられて格納される。
結合文書格納エリア１１３４には、本実施形態により要約対象文書とユーザーの嗜好を反映した資料（嗜好資料）とを結合した結合文書が格納される。前記嗜好資料は、ユーザーの要約文書の利用目的等の記載された文章や、ユーザーのプロファイル等が用いられる。
要約格納エリア１１３５には、本実施形態により取得された重要文が、要約作成対象文書における順番で格納される。
【００１０】
キーボード１２は、かな文字を入力するためのかなキーやテンキー、各種機能を実行するための機能キー、カーソルキー、等の各種キーが配置されている。操作者が要約比率を入力する場合には、該要約比率はこのキーボード１２から入力され、要約パラメータ格納エリア１１３２に格納される。
マウス１３は、ポインティングデバイスであり、表示装置１４に表示されたキーやアイコン等を左クリックすることで対応する機能の指定を行う入力装置である。
表示装置１４は、例えばＣＲＴや液晶ディスプレイ等が使用される。この表示装置１４には、嗜好要約作成の対象となる文書の内容や、本実施形態により作成された嗜好要約等が表示されるようになっている。
印刷装置１５は、表示装置１４に表示された文章や、記憶装置１６の文書データベース１６５に格納された文書等の印刷を行うためのものである。この印刷装置としては、レーザプリンタ、ドットプリンタ、インクジェットプリンタ、ページプリンタ、感熱式プリンタ、熱転写式プリンタ、等の各種印刷装置が使用される。
【００１１】
記憶装置１６は、読み書き可能な記憶媒体と、その記憶媒体に対してプログラムやデータ等の各種情報を読み書きするための駆動装置で構成されている。この記憶装置１６に使用される記憶媒体としては、主としてハードディスクが使用されるが、後述の記憶媒体駆動装置１７で使用される各種記憶媒体のうちの読み書き可能な記憶媒体を使用するようにしてもよい。
記憶装置１６は、仮名漢字変換辞書１６１、プログラム格納部１６２、データ格納部１６３、文書データベース１６５、図示しないその他の格納部（例えば、この記憶装置１６内に格納されているプログラムやデータ等をバックアップするための格納部）等を有している。
プログラム格納部１６２には、本実施形態における嗜好要約作成処理プログラム等の各種プログラムの他、仮名漢字変換辞書１６１を使用して入力された仮名文字列を漢字混り文に変換する仮名漢字変換プログラム等の各種プログラムが格納されている。
【００１２】
データ格納部１６３には、要約パラメータのデフォルト値等の各種データが格納されている。要約パラメータのデフォルト値としては、例えば、全文書に対する要約の比率＝「２５％」や、日付時刻、価格情報、物理量（サイズ、重量、温度等）等の数量重視＝「しない」や、ＵＲＬ（Uniform Resource Locator ）重視＝「しない」、長単文の重視＝「しない」や、です／ます／であるの選択＝「しない」、等の値が格納されている。
【００１３】
文書データベース１６５には、仮名漢字変換プログラムにより作成された文書や、他の装置で作成されて記憶媒体駆動装置１７や通信制御装置１８から読み込まれた文書が格納される。この文書データベース１６５に格納される各文書の形式は特に限定されるものではなく、テキスト形式の文書、ＨＴＭＬ（Hyper Text Markup Language）形式の文書、ＪＩＳ形式の文書等の各種形式の文書の格納が可能である。
【００１４】
記憶媒体駆動装置１７は、ＣＰＵ１１１が外部の記憶媒体からコンピュータプログラムや文書を含むデータ等を読み込むための駆動装置である。記憶媒体に記憶されているコンピュータプログラムには、本実施形態の文書処理装置により実行される各種処理のためのプログラム、および、そこで使用される辞書、データ等も含まれる。
ここで、記憶媒体とは、コンピュータプログラムやデータ等が記憶される記憶媒体をいい、具体的には、フロッピーディスク、ハードディスク、磁気テープ等の磁気記憶媒体、メモリチップやＩＣカード等の半導体記憶媒体、ＣＤ−ＲＯＭやＭＯ、ＰＤ（相変化書換型光ディスク）等の光学的に情報が読み取られる記憶媒体、紙カードや紙テープ等の用紙（および、用紙に相当する機能を持った媒体）を用いた記憶媒体、その他各種方法でコンピュータプログラム等が記憶される記憶媒体が含まれる。本実施形態の文書処理装置において使用される記憶媒体としては、主として、ＣＤ−ＲＯＭやフロッピーディスクが使用される。
記憶媒体駆動装置１７は、これらの各種記憶媒体からコンピュータプログラムを読み込む他に、フロッピーディスクのような書き込み可能な記憶媒体に対してＲＡＭ１１３や記憶装置１６に格納されているデータ等を書き込むことが可能である。
【００１５】
本実施形態の文書処理装置では、制御部１１のＣＰＵ１１１が、記憶媒体駆動装置１７にセットされた外部の記憶媒体からコンピュータプログラムを読み込んで、記憶装置１６の各部に格納（インストール）する。そして、本実施形態による類似度算出等の各種処理を実行する場合、記憶装置１６から該当プログラムをＲＡＭ１１３に読み込み、実行するようになっている。
但し、記憶装置１６からではなく、記憶媒体駆動装置１７により外部の記憶媒体から直接ＲＡＭ１１３に読み込んで実行することも可能である。また、文書処理装置によっては、本実施形態の嗜好要約作成処理プログラム等を予めＲＯＭ１１２に記憶しておき、これをＣＰＵ１１１が実行するようにしてもよい。
【００１６】
通信制御装置１８は、他のパーソナルコンピュータやワードプロセッサ等との間でテキスト形式やＨＴＭＬ形式等の各種形式の文書やビットマップデータ等の各種データの送受信を行うことができるようになっている。
入出力Ｉ／Ｆ１９は、音声や音楽等の出力を行うスピーカ等の各種機器を接続するためのインターフェースである。
文字認識装置２０は、用紙等に記載された文字をテキスト形式やＨＴＭＬ等の各種形式で認識する装置であり、イメージスキャナや文字認識プログラム等で構成されている。
【００１７】
本実施形態では、キーボード１２の入力操作により作成した文書（ＲＡＭ１１３の所定格納エリアに格納）の他、外部で作成して所定の記憶媒体に格納した文書で記憶媒体駆動装置１７から読み込んだ文書、予め文書データベースに格納されている文書、通信制御装置１８からダウンロードした文書、及び文字認識装置２０で文字認識した文書、等の各種文書を対象文書として取得することが可能である。
【００１８】
次に、上述のような構成の文書処理装置による嗜好要約作成処理であって、本発明の文書処理方法の一実施形態について図２及び図３を参照して説明する。
【００１９】
図２は、本実施形態による嗜好要約作成処理のメイン動作を表すフローチャートである。
嗜好要約作成処理に際しては、ＣＰＵ１１１は、要約対象文書を取得し、ＲＡＭ１１３の対象文書格納エリア１１３１に格納する（ステップ１１）。要約対象文書は、ユーザの指示に従ってＲＡＭ１１３、記憶装置１６の文書データベース１６５、記憶媒体駆動装置１７、または通信制御装置１８から取得する。
また、ＣＰＵ１１１は、上記要約対象文書と同様の手法により嗜好資料を取得し（ステップ１２）、前記要約対象文書と前記嗜好資料とを結合させてＲＡＭ１１３の結合文書格納エリア１１３４に格納する（ステップ１３）。
次に、ＣＰＵ１１１は、ユーザによってキーボード１２等から要約パラメータが入力された場合には入力値を取得し、ユーザによる入力がない場合にはデータ格納部１６３に格納された要約パラメータのデフォルト値を取得し、要約パラメータ格納エリア１１３２に格納する（ステップ１４）。
続いて、ＣＰＵ１１１は、結合文書についての重要語及びそれらの語句重要度を取得する（ステップ１５）。
【００２０】
図３は、本実施形態における重要語・語句重要度取得処理の動作を表したフローチャートである。
図３に示すように、ＣＰＵ１１１は、結合文書について、形態素解析を行うことで結合文書から自立語を抽出する（ステップ１５１）と共に、名詞句、複合名詞句等を含めた候補語（句）を結合文書から抽出する（ステップ１５２）。
次に、ＲＡＭ１６の要約パラメータ格納エリア１１３２に格納した要約パラメータや、抽出した候補語（句）の結合文書での出現頻度、評価関数から、各候補語（句）ｘの語句重要度ｆ（ｘ）を取得する（ステップ１５３）。ここで、評価関数としては、例えば、所定の重要語が予め指定されている場合にはその重要語に対する重み付け、単語、名詞句、複合名詞句等の候補語（句）の種類による重み付け、等が使用される。
【００２１】
さらにＣＰＵ１１１は、取得した語句重要度ｆ（ｘ）の値をもとに候補語（句）から重要語ａ，ｂ，ｃ，…を取得し（ステップ１５４）、この重要語ａ，ｂ，ｃ，…及びその語句重要度ｆ（ａ），ｆ（ｂ），ｆ（ｃ）…を重要語・重要度格納エリア１１３３に格納し（ステップ１５５）、図２に示す要約作成処理ルーチンへリターンする。
【００２２】
次に、ＣＰＵ１１１は、重要語及びその語句重要度から、対象文書格納エリア１１３１に格納された要約対象文書の各文に対する文重要度Ｆ（Ｘ）を取得する（ステップ１６）。この文重要度Ｆ（Ｘ）は、各文中における重要語の語句重要度を累積し、かつ文中において複合名詞句を検索し、複合名詞句による重み付けをして求める。
そして、ＣＰＵ１１１は、決定した各文の文重要度Ｆ（Ｘ）の高い文の上位から要約パラメータの要約比率（例えば、対象要約文書中の全文数の内の上位２５％）以内に入る文（重要文）をリストアップし、要約格納エリア１１３７に格納する（ステップ１７）。そして、リストアップした文を要約対象文書の中での出現順に並べることで当該要約対象文書の嗜好要約とし（ステップ１８）、本実施形態による要約作成処理を終了する。
【００２３】
この様に、本実施形態では、要約対象文書にユーザーの嗜好の反映された嗜好資料を結合し、得られた結合文書をもとに重要語ａ，ｂ，…及び語句重要度ｆ（ａ），ｆ（ｂ），…を取得し、この重要語ａ，ｂ，…及び語句重要度ｆ（ａ），ｆ（ｂ），…に基づいて要約対象文書中の各文の文重要度F(X)を取得し、重要文を決定する。従って、本実施形態によれば、ユーザーの嗜好の反映された要約が作成される。
また、本実施形態では、キーボード１２からの入力により要約比率（要約対象文書全体に対する嗜好要約の比率）を１〜９９％で自由に設定でき、所望の分量の要約が作成できる。
【００２４】
尚、本発明は、上述の実施形態に限定されるものではなく、本発明の趣旨を逸脱しない限りにおいて適宜変更が可能である。
例えば、上述の実施形態においては文書処理装置としてコンピュータを用いているが、コンピュータに限定されるものではなく、ワードプロセッサ等であってもよい。
要約対象文書の取得と嗜好資料の取得とは、どちらを先に行うようにしてもよい。
文重要度の取得は、各文中における重要語の語句重要度を考慮していればよく、文中における複合名詞句による重み付けはせずに重要語の語句重要度の累積のみに基づいて求めてもよく、また、他のパラメータを考慮してもよい。
また、以下のように実施形態を構成するようにしてもよい。
（１）図４に示すように、要約を作成する対象となる要約対象文書を取得する対象文書取得手段１０１と、ユーザーの嗜好を反映した嗜好資料を取得する嗜好資料取得手段１０２と、上記対象文書取得手段１０１により取得した要約対象文書と上記嗜好資料取得手段１０２により取得した嗜好資料とを結合して結合文書を取得する文書結合手段１０３と、上記文書結合手段１０３により取得した結合文書から重要語句を抽出する重要語句抽出手段１０４と、前記重要語句抽出手段１０４により取得された重要語句を用いて前記要約対象文書から重要文を選択する重要文選択手段１０５と、前記重要文選択手段１０５により選択された重要文により前記文書の要約を作成する嗜好要約作成手段１０６と、を具備する文書処理装置。
（２）図４に示すように、上記（１）の文書処理装置において、前記嗜好資料取得手段１０２は、嗜好資料として、ユーザーの嗜好を反映した文書またはプロファイルを使用する文書処理装置。
（３）図５に示すように、上記（１）または（２）に記載の文書処理装置において、要約対象文書全体に対する要約の比率を取得する要約比率取得手段１０７を備え、前記重要文選択手段１０５は、前記要約比率取得手段１０７で取得した前記比率に従って重要文を選択する文書処理装置。
（４）図６に示すように、要約の作成対象となる要約対象文書を取得する対象文書取得機能２０１と、ユーザーの嗜好を反映した嗜好資料を取得する嗜好資料取得機能２０２と、上記対象文書取得機能２０１により取得した要約対象文書と上記嗜好資料取得機能２０２により取得した嗜好資料とを結合して結合文書を取得する文書結合機能２０３と、上記文書結合機能２０３により取得した結合文書から重要語句を取得する重要語句取得機能２０４と、前記重要語句取得機能２０４により取得された重要語句を用いて前記要約対象文書から重要文を選択する重要文選択機能２０５と、前記重要文選択機能２０５により選択された重要文により前記要約対象文書の要約を作成する嗜好要約作成機能２０６と、をコンピュータに実現させるためのコンピュータ読みとり可能な文書処理プログラムが記憶された記憶媒体。
（５）図６に示すように、上記（４）に記載の記憶媒体において、前記嗜好資料取得機能２０２は、嗜好資料として、ユーザーの嗜好を反映した文書またはプロファイルを使用する文書処理プログラムが記憶された記憶媒体。
（６）図７に示すように、上記（４）または（５）に記載の記憶媒体において、要約対象文書全体に対する要約の比率を取得する要約比率取得機能２０７を備え、前記重要文選択機能２０５は、前記要約比率取得機能２０７で取得した前記比率に従って重要文を選択する文書処理プログラムが記憶された記憶媒体。
（７）図８に示すように、要約の作成対象となる要約対象文書及びユーザーの嗜好を反映した嗜好資料を取得３０１し、上記要約対象文書と上記嗜好資料とを結合して結合文書を取得３０２し、上記結合文書から重要語句を取得３０３し、前記重要語句を用いて前記要約対象文書から重要文を選択３０４し、この重要文により前記文書の要約を作成する３０５書処理方法。
【００２５】
【発明の効果】
以上説明したように、本発明によれば、要約対象文書中の重要語について、ユーザーの嗜好を踏まえた語句重要度を取得し、この語句重要度にもとづいて重要文を選択し、この重要文から要約を作成するので、作成された要約にユーザーの興味や注目度、目的等の嗜好が反映される。
【図面の簡単な説明】
【図１】本発明の文書処理装置の一実施形態であり、本発明の文書処理プログラムを記憶した記憶媒体の一実施形態の該プログラムが読み取られたコンピュータの構成を表したブロック図である。
【図２】図１の実施形態における嗜好要約作成処理のメインの動作を示すフローチャートである。
【図３】図１の実施形態における重要語・語句重要度取得処理の動作を表したフローチャートである。
【図４】実施形態の構成図である。
【図５】実施形態の構成図である。
【図６】実施形態の構成図である。
【図７】実施形態の構成図である。
【図８】実施形態の構成図である。
【図１】
0004021525.tif 000002
【図２】
0004021525.tif 000003
【図３】
0004021525.tif 000004
【図４】
0004021525.tif 000005
【図５】
0004021525.tif 000006
【図６】
0004021525.tif 000007
【図７】
0004021525.tif 000008
【図８】
0004021525.tif 000009